【手続補正書】
【提出日】平成19年6月27日(2007.6.27)
【手続補正１】
【補正対象書類名】明細書
【補正対象項目名】発明の名称
【補正方法】変更
【補正の内容】
【発明の名称】シート処理装置
【手続補正２】
【補正対象書類名】明細書
【補正対象項目名】特許請求の範囲
【補正方法】変更
【補正の内容】
【特許請求の範囲】
【請求項１】  シートを搬送経路に沿って排出口まで搬送する搬送手段と、
前記搬送経路上で前記シートを一時的に滞留させる滞留手段と、
前記搬送手段により搬送されるシートの種類を判別する判別手段と、
前記搬送手段により搬送されるシートの種類に応じて、前記滞留手段によって滞留させるシートの枚数を制限する滞留枚数制限手段と、
を有することを特徴とするシート処理装置。
【請求項２】  前記滞留手段によって滞留されたシートの枚数を検出する滞留枚数検出手段を有し、前記滞留枚数制限手段は、前記滞留枚数検出手段の検出結果に基づき前記滞留手段に滞留されたシートがシートの種類に対応付けて予め設定された所定枚数に到達したか否かを判定し、前記滞留手段に滞留されたシートが前記所定枚数に到達したときに、前記搬送手段による前記滞留したシートの搬送を再開するように制御することを特徴とする請求項１記載のシート処理装置。 
【請求項３】  前記滞留枚数制限手段は、前記搬送手段により搬送されるシートが所定の種類のシートであるときには、前記滞留手段による滞留を禁止することを特徴とする請求項１記載のシート処理装置。
【請求項４】  前記滞留手段によって滞留されたシートの枚数を検出する滞留枚数検出手段と、前記滞留枚数検出手段の検出結果に基づき前記滞留手段に滞留されたシートが通常のシートに対応付けて予め設定された最大枚数に到達したか否かを判定する判定手段と、前記滞留手段に滞留されたシートが前記最大枚数に到達したときに、前記搬送手段による前記滞留したシートの搬送を再開するように制御する制御手段とを有することを特徴とする請求項１記載のシート処理装置。
【請求項５】  前記搬送路におけるシートの位置を検出する用紙検出手段を有し、前記用紙検出手段により前記滞留手段の下流にシートがあることを検出すると、前記制御手段は、前記搬送手段による前記滞留したシートの搬送の再開を一時待機させることを特徴とする請求項１記載のシート処理装置。
【請求項６】  前記所定の種類のシートは、シートセットトレイからのシート、表紙指定されたシート、厚紙指定されたシート、薄紙指定されたシート、タブ付シート、カラーシートの少なくともいずれか１つであることを特徴とする請求項３記載のシート処理装置。
【請求項７】  前記滞留手段は、シートを巻き付け可能なローラを含むことを特徴とする請求項１記載のシート処理装置。
【請求項８】  前記ローラは、複数枚のシートを巻き付け可能であることを特徴とする請求項７記載のシート処理装置。
【請求項９】  前記ローラは、前記複数枚のシートを一枚ずつシート搬送方向側にずらした状態で巻き付けることを特徴とする請求項８記載のシート処理装置。
【手続補正３】
【補正対象書類名】明細書
【補正対象項目名】０００１
【補正方法】変更
【補正の内容】
【０００１】
【発明の属する技術分野】
本発明は、シートを搬送するシート処理装置に関する。
【手続補正４】
【補正対象書類名】明細書
【補正対象項目名】０００４
【補正方法】変更
【補正の内容】
【０００４】
本発明は、上述の問題を解決するためになされたものであって、高い生産性を維持し、属性の異なる各種のシートを搬送しても、シートジャムや、シートの損傷等が発生する等の不具合が生じることのない、高品位の処理を実行可能なシート処理装置を提供することを目的とする。
【手続補正５】
【補正対象書類名】明細書
【補正対象項目名】０００５
【補正方法】変更
【補正の内容】
【０００５】
【課題を解決するための手段】
本発明は、シートを搬送経路に沿って排出口まで搬送する搬送手段と、前記搬送経路上で前記シートを一時的に滞留させる滞留手段と、前記搬送手段により搬送されるシートの種類を判別する判別手段と、前記搬送手段により搬送されるシートの種類に応じて、前記滞留手段によって滞留させるシートの枚数を制限する滞留枚数制限手段と、を有することを特徴とする。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】削除
【補正の内容】
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２６
【補正方法】削除
【補正の内容】
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】